(57)【特許請求の範囲】
【請求項１】
通信網を介して送信されてくる通信相手の識別情報及び顔画像情報を受信する受信ステップと、
人物を識別する識別情報に対して顔画像情報を互いに関連付けてデータベースに登録する登録ステップと、
前記受信ステップにより受信された顔画像情報と前記データベースに登録されている顔画像情報とを比較し、前記受信された顔画像情報が前記データベースに登録済みか未登録かを判定する判定ステップと、
前記判定ステップにより前記受信される顔画像情報が未登録の場合に、前記受信される顔画像情報を該当する人物の識別情報に関連付けて前記データベースに登録するステップとを備えたことを特徴とする画像処理方法。
【請求項２】
前記判定ステップは、前記受信された顔画像情報と、前記データベースに登録されている、前記受信された顔画像情報と同一サイズの顔画像情報との差分値を求め、該差分値がしきい値を超えたとき前記未登録と判定する請求項１記載の画像処理方法。
【請求項３】
複数の通信相手の人物の顔画像を含む人物特定画像を受信するステップと、
受信した人物特定画像から人物の顔以外の部分を少なくとも一部を除去して前記複数の通信相手の顔抽出画像を生成するステップと、
前記複数の通信相手の顔抽出画像の優先順位を決定するステップと、
決定された優先順位に基づいて、相対的に優先順位の高い顔抽出画像が相対的に優先順位の低い顔抽出画像に対して隠れることが無いように前記複数の通信相手の顔抽出画像を合成表示する表示ステップとを備えたことを特徴とする画像処理方法。
【請求項４】
前記表示ステップは、最前面に表示する人物の顔抽出画像を選択するステップと、最前面に表示する人物の顔抽出画像が顔以外の背景を含む場合に顔の輪郭を抽出し、該輪郭に基づいて顔以外の部分が表示される領域に最前面に表示されない顔抽出画像を表示するステップとを有することを特徴とする請求項３に記載の顔の画像処理方法。
【請求項５】
通信網を介して送信されてくる通信相手の識別情報及び顔画像情報を受信する受信手段と、
人物を識別する識別情報に対して顔画像情報を互いに関連付けて登録したデータベースと、
前記受信手段により受信された顔画像情報と前記データベースに登録されている顔画像情報とを比較し、前記受信された顔画像情報が前記データベースに登録済みか未登録かを判定する判定手段と、
前記判定手段により前記受信される顔画像情報が未登録の場合に、前記受信される顔画像情報を該当する人物の識別情報に関連付けて前記データベースに登録する登録手段とを有することを特徴とする画像処理装置。
【請求項６】
複数の通信相手の人物の顔画像を含む人物特定画像を受信する手段と、
受信した人物特定画像から人物の顔以外の部分を少なくとも一部を除去して前記複数の通信相手の顔抽出画像を生成する手段と、
前記複数の通信相手の顔抽出画像の優先順位を決定する手段と、
決定された優先順位に基づいて、相対的に優先順位の高い顔抽出画像が相対的に優先順位の低い顔抽出画像に対して隠れることが無いように前記複数の通信相手の顔抽出画像を合成表示する表示手段とを有することを特徴とする画像処理装置。
【請求項７】
通信網を介して送信されてくる通信相手の識別情報及び顔画像情報を受信する受信手段と、
人物を識別する識別情報に対して顔画像情報を互いに関連付けて登録したデータベースと、
前記受信手段により受信された顔画像情報と前記データベースに登録されている顔画像情報とを比較し、前記受信された顔画像情報が前記データベースに登録済みか未登録かを判定する判定手段と、
前記判定手段により前記受信される顔画像情報が未登録の場合に、前記受信される顔画像情報を該当する人物の識別情報に関連付けて前記データベースに登録する登録手段とを有する画像処理装置としてコンピュータを機能させるための画像処理プログラム。
【請求項８】
複数の通信相手の人物の顔画像を含む人物特定画像を受信する手段と、
受信した人物特定画像から人物の顔以外の部分を少なくとも一部を除去して前記複数の通信相手の顔抽出画像を生成する手段と、
前記複数の通信相手の顔抽出画像の優先順位を決定する手段と、
決定された優先順位に基づいて、相対的に優先順位の高い顔抽出画像が相対的に優先順位の低い顔抽出画像に対して隠れることが無いように前記複数の通信相手の顔抽出画像を合成表示する表示手段とを有する画像処理装置としてコンピュータを機能させるための画像処理プログラム。
【発明の詳細な説明】
【０００１】
【発明の属する技術分野】
本発明は，画像処理技術に係り，特に携帯電話やＰＨＳに代表される通信装置に登録保存する顔画像もしくは通信装置間で送受信する顔画像等の画像処理方法、画像処理装置及び画像処理プログラムに関する。
【０００２】
【従来の技術】
従来の携帯電話あるいはＰＨＳに代表される通信装置は，電話番号と名前を関連付けて登録することが可能である。また，通信を開始する際には，送信側は電話番号を通知し，受信側では着信時に，登録してある電話番号リストから一致するものを検索し，その電話番号に関連付けられた名前を表示する。
【０００３】
通信装置を利用して，お互いの顔を撮影した画像をリアルタイムで送受信しながら会話を行うことを可能とするものとして，カメラを付属させ画像を入力し，その画像を相手側に送信することを可能とした携帯電話がある。
【０００４】
【発明が解決しようとする課題】
電話番号と名前のみを登録するだけでは，登録者数が多い場合あるいは同姓同名の人物が含まれている場合には，登録した人物が誰であるかということを忘れてしまう場合がある。着信時には，通知されてきた電話番号と一致する登録情報を検索するが，初めて着信があった場合のように登録情報がない場合は，着信画面には電話番号しか表示されず，誰からかかってきた電話なのか分からない。
【０００５】
また，お互いの顔をリアルタイムで確認しながらグループ会話を行う際には，移動体通信装置の限られた表示領域内に複数の人物の顔を表示しなければならないが，背景部分を多く含んだ顔画像ではタイル状に並べて表示するなどの簡単な表示方法しか実現できない。
【０００６】
本発明は上記課題を解決するためになされたもので、その目的とするところは、登録情報の同定を容易にする画像処理方法、画像処理装置及び画像処理プログラムを提供することにある。
【０００７】
また、本発明の別の目的は、情報受信時の通信相手の同定を容易にする画像処理方法、画像処理装置及び画像処理プログラムを提供することにある。
【０００８】
【課題を解決するための手段】
この発明の第１の観点によれば、通信網を介して送信されてくる通信相手の識別情報及び顔画像情報を受信する受信ステップと、人物を識別する識別情報に対して顔画像情報を互いに関連付けてデータベースに登録する登録ステップと、人物を識別する識別情報に対して顔画像情報を互いに関連付けて登録したデータベースに登録されている顔画像情報と前記受信ステップにより受信された顔画像情報を比較し、前記受信された顔画像情報が前記データベースに登録済みか未登録かを判定する判定ステップと、前記判定ステップにより前記受信される顔画像情報が未登録の場合に、前記受信される顔画像情報を該当する人物の識別情報に関連付けて前記データベースに登録するステップとを有する画像処理方法が提供される。
【０００９】
また、本発明の別の観点によれば、複数の通信相手の人物の顔画像を含む人物特定画像を受信するステップと、受信した人物特定画像から人物の顔以外の部分を少なくとも一部を除去して前記複数の通信相手の顔抽出画像を生成するステップと、前記複数の通信相手の顔抽出画像の優先順位を決定するステップと、決定された優先順位に基づいて、相対的に優先順位の高い顔抽出画像が相対的に優先順位の低い顔抽出画像に対して隠れることが無いように前記複数の通信相手の顔抽出画像を合成表示する表示ステップとを有する画像処理方法が提供される。
【００１１】
なお、方法に係る本発明は、該方法を実現するための装置としても成立する。
【００１２】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラム、あるいは該プログラムを記録したコンピュータ読取り可能な記録媒体としても成立する。
【００１３】
【発明の実施の形態】
以下、図面を参照しながら本発明の実施形態を説明する。
【００１４】
以下ではまず，携帯電話あるいはＰＨＳに代表される通信装置において，電話番号と名前以外の情報として，その人物の顔画像も記憶させて登録し個人情報を作成する実施の形態について図を参照しながら説明する。
【００１５】
図１は本発明の顔画像処理装置を備えた通信装置の全体構成を示す図である。図１（ａ）は通信装置１の概略構成を示す図である。図１（ａ）に示すように、本体２には通信や顔画像処理に関する各種処理を表示する表示パネル３、外部端末との情報の送受信を行うアンテナ４、撮像手段５及び入力手段６が設けられている。
【００１６】
図１（ｂ）は通信装置１の本体２内に設けられた制御系２０を示す図である。制御系２０は、この通信装置１以外の通信装置との情報の送受信を行うインタフェース２１と、このインタフェース２１に接続され、通信や顔画像処理に関する各種処理を行うプロセッサ２２と、このプロセッサ２２に接続され、顔画像を含む個人情報等を格納するデータベース２３を有する。また、図１（ａ）に示すアンテナ４はインタフェース２１に接続され、撮像手段５はプロセッサ２２に接続されている。
【００１７】
プロセッサ２２には、個人情報登録プログラム２２１，通信プログラム２２２，顔画像作成プログラム２２３，及び顔画像判定プログラム２２４が設けられている。各プログラムの具体的な処理機能は後述する動作で説明する。
【００１８】
データベース２３の構成を図２に示す。図２に示すように、通信装置１以外の通信装置の使用者の名前２３１，電話番号２３２，顔画像情報２３３がそれぞれ関連づけられ、情報の送受信を行う相手毎に格納されている。もちろん、これら通信相手と同様に、通信装置１の使用者の名前２３１，電話番号２３２及び顔画像情報２３３も格納されている。通常、一つの名前２３１に対して一つの電話番号２３２が対応づけられているが、複数の電話番号２３２が一つの名前２３１に対応づけられていてもよい。また、一つの名前２３１に対して顔画像情報２３３は複数対応づけられて格納されており、各顔画像情報２３３に対して識別コードが付与されている。このように、一つの名前２３１に対して複数の関連づけを行うことにより、例えば異なる日時あるいは場所で撮影した同一人物の別の顔画像を保存することができる。
【００１９】
次に、図３に示すフローチャートに沿って通信装置１以外の通信装置の使用者の顔画像情報２３３をデータベース２３に登録する手法を説明する。
【００２０】
まず、入力手段６を用いて個人情報登録プログラム２２１を立ち上げ、表示パネル３に個人情報登録画面を表示する（ｓ３１）。そして、表示画面の指示に従い、撮像手段５を用いて顔画像を撮像する（ｓ３２）。撮像された顔画像情報はプロセッサ２２に出力される。個人情報作成プログラム２２１は、予め登録され、あるいは入力されている通信装置１の名前２３１，電話番号２２２に関連づけて顔画像情報をデータベース２３に登録する（ｓ３３）。
【００２１】
なお、図３に示すのは、撮像された顔画像情報をそのままデータベース２３に登録される場合を示したが、例えば図４に示すフローチャートに示されるように、顔画像の輪郭抽出（ｓ４１）を行ってもよい。顔画像の輪郭抽出は、顔画像作成プログラム２２３により撮像ステップ（ｓ３２）後に行われる。
【００２２】
顔画像の輪郭抽出処理は、例えば、文献「自己相似モデルを用いたリアルタイムオブジェクト抽出」（第6回画像センシングシンポジウム講演論文集，pp161-166, 2000年）が用いられる。この輪郭抽出処理によれば、静止画だけでなく、動画からの顔画像輪郭抽出を高速に行うことができる。また、顔と上半身を含めた輪郭線を求めることもできる。さらに、顔画像作成プログラム２２３は、輪郭を抽出し、背景を除去した抽出顔画像を選択する。そして、選択された抽出顔画像を適切なサイズに変更する。このサイズ変更処理を行った後、通信装置１の名前２３１，電話番号２２２に関連づけて顔画像情報をデータベース２３に登録する（ｓ３３）。
【００２３】
抽出顔画像をサイズ変更することにより、登録される顔画像を最も見やすい適正な解像度で表示することが可能となる。また、望ましくは、画質を損なわない形式で画像圧縮を行う。その結果、必要となるメモリ容量が削減され、個人情報の登録可能件数が増加する。このような画像圧縮の例としては、静止画であればＪＰＥＧ方式、動画であればＭＰＥＧ−４方式が挙げられる。
【００２４】
以上のように登録された顔画像情報は、表示パネル３に出力させることにより適時確認できる。表示パネル３への顔画像情報確認画面の表示例を図５に示す。図５に示すように、顔画像情報２３３に対応して名前２３１が表示されている。また、顔画像作成プログラム２２３により抽出顔画像が適切なサイズに変更されているため、登録されている人物の顔の大きさをほぼそろえて表示することが可能となる。また、背景部分を除去しているため、顔画像の表示領域が少なくて済む。
【００２５】
以上のような手法により、個人情報が作成される。また、以上の個人情報作成のプロセスは、通信装置１の使用者でも同様に行うことができる。
【００２６】
次に、通信中に受信した顔画像が未登録か否かを判定し、データベース２３に記憶させるか否かを判定するステップを図６に示すフローチャートを用いて説明する。このステップは、例えば初めて顔画像を作成した者が別の通信装置を用いて通信装置１に対して顔画像情報を送信する場合や、通信装置１側に登録されている顔画像情報とは異なる新たな顔画像情報を通信装置１に対して送信する場合等に実行される。
【００２７】
まず、通信装置１に対しての通話要求、すなわち着信があると、通話要求や名前２３１，電話番号２３２とともに通信装置１に顔画像情報が送信される。この顔画像情報は、インタフェース２１を介して受信される（ｓ６１）。顔画像情報を受信したプロセッサ２２は顔画像判定プログラム２２４を立ち上げる。まず、データベース２３内に既に登録されている顔画像情報のうち、一つの顔画像情報を読み出す（ｓ６２）。そして、読み出された登録顔画像情報と受信した顔画像情報のサイズを例えば幅と高さ等に基づいて算出し（ｓ６３）、両者のサイズを比較する（ｓ６４）。
【００２８】
なお、この画像比較の前提として、受信した顔画像情報は、上記図３や図４で示されるように登録する顔画像情報と同様に、顔画像の輪郭抽出及びサイズ変更を行っているのが望ましい。これにより、登録された顔画像情報と受信した顔画像情報とをそろえて比較することができる。両者のサイズが同じであれば（ｓ６５）に進む。
【００２９】
受信顔画像情報と登録顔画像情報のサイズが異なっていれば（ｓ６６）に進み、受信した顔画像情報と比較する登録顔画像情報を変更する。すなわち、既に読み出しサイズ等を比較した登録顔画像情報以外の未だ比較の対象となっていない登録顔画像情報を比較の対象とする（ｓ６６）。
【００３０】
（ｓ６５）では、サイズが同じだった登録顔画像情報と受信した顔画像情報の各画素の差分値を算出する。そして、得られた差分値が予め定められたしきい値以下か否かを判定する（ｓ６７）。しきい値以下であれば両画像情報は同一であり、登録済みであると判定し、登録することなくこのプロセスが終了する（ｓ６８）。一方、しきい値を超える場合には、両画像情報は同一でないと判定し、すべての登録画像情報が比較されたか否かを判定する（ｓ６９）。すべてが比較の対象となっていなければ比較対照を変更して（ｓ６６）新たな登録顔画像情報に基づいて上記（ｓ６２）〜（ｓ６７）の処理を再度実行する。すべての登録顔画像情報についてサイズが異なり、かつ差分値がしきい値を超えていれば、両画像情報は登録済みのいかなる画像情報とも異なるものと判定し、新規登録を行う（ｓ７０）。
【００３１】
新規登録は、受信した名前２３１，電話番号２３２と関連づけてデータベース２３に格納される。名前２３１が未だ登録されていないものである場合には、新たに名前２３１，電話番号２３２も同様に新規登録の対象となる。名前２３１が既に登録済みの場合、既に登録されている顔画像情報２３３に新たな顔画像情報２３３を加える。
【００３２】
なお、上記顔画像判定の際には、名前２３１及び電話番号２３２が顔画像情報２３３とともに送信される場合を示したが、名前２３１及び電話番号２３２が送信されない場合にも、データベース２３の空き領域に格納しておき、後に入力手段２６を用いて名前２３１を電話番号２３２を格納された顔画像情報２３３に関連づけてデータベース２３に改めて登録するのが望ましい。
【００３３】
以上のプロセスを経てデータベース２３に登録された顔画像情報２３３等を用いて他の通信装置に通信を試みる場合を説明する。なお、以下では通信装置１の使用者Ａが他の通信装置の使用者Ｂに通信を試みる場合で説明する。
【００３４】
まず、通信プログラム２２２は使用者Ａの入力手段２６からの指示に基づき通信を希望する使用者Ｂの名前２３１及び電話番号２３２を検索する。この検索時には、予め登録された各使用者の名前２３１，電話番号２３２からなる識別文字情報のみならず、顔画像情報２３３も表示される。
次に、送信を希望する使用者Ａの顔画像情報２３３の選択画面となる。具体的には、図７に示すような送信用顔画像選択画面が表示パネル３に表示される。図７は、特定された名前２３１及び電話番号２３２に３つの顔画像情報２３３ａ〜２３３ｃが登録されていた場合を示す。図７に示すように、顔画像情報２３３ａは怒った顔、顔画像情報２３３ｂは笑った顔、顔画像情報２３３ｃは困った顔を表している。使用者Ａは、この選択画面上同図の点線で囲まれたカーソル７１を動かし、顔画像情報２３３ｂを選択する。これにより、送信用顔画像情報２３３ｄは顔画像情報２３３ｂが選択され、使用者Ａの笑った顔が送信されることとなる。その結果、使用者Ａの感情も含めた通話要求を行うことができる。
【００３５】
以上のように送信用顔画像情報２３３ｄが設定され、通信プログラム２２２により他の通信装置と通信が開始される。逆に、通信装置１がこのように選択された送信用顔画像情報２３３ｄを受信すると、図７（ｂ）に示すように送信用顔画像情報２３３ｄが通信の際に表示パネル３に表示される。もちろん、通信が開始されてからも、通信を終了するまでこの顔画像を表示パネル３に表示しておいてもよい。
【００３６】
このように本実施形態によれば、通信相手を特定するための画像としての顔画像を用いて着信時の通信相手の特定を行うことができるため、通話相手が誰であるかを容易に確認できる。また、顔画像を用いて通信装置内のデータベースの検索を行えるため、データベース内の登録者の同定が極めて容易である。
【００３７】
（第２実施形態）
本実施形態は第１実施形態の変形例に係わる。本実施形態は、複数人でのグループ会話を行い、お互いの顔画像を送信時間中リアルタイムで送受信することができる形態に関する。
【００３８】
例えば、図８に示すように、３つの通信装置９１を用いて３者間でグループ会話を行う場合を考える。各通信装置９１に代えて３つの通信装置１を用いて会話を行う場合、ある通信装置１の撮像手段５で撮像された顔画像が他の通信装置１の表示パネル３に表示される場合、利用者の顔が見やすい大きさで撮影されていれば問題ない。しかしながら、撮像手段５から被写体である使用者の顔までの距離が遠い等の撮像条件によっては、受信画像内にしめる被写体領域の割合が小さくなってしまう場合がある。このような場合、通信装置１間で送受信される画像には背景が多く含まれてしまい、例えば以下の２つの問題が生じることが考えられる。
【００３９】
第１に、コミュニケーションを行う上で直接関係のない背景を多く含んでいる画像は、データ量が本来必要とされるよりも非常に多くなってしまい、送受信のコストが増大する。第２に、プライバシーの観点から、背景部分はなるべく相手に見せたくないが、自分の顔だけ撮影するのが難しい。
【００４０】
そこで、本実施形態では通信装置１の代わりに図９に示す通信装置９１を用いる。図９に示すように、基本的な構成は図１に示す通信装置１と変わらないが、プロセッサ２２が顔画像抽出プログラム２２５及び表示パターン設定プログラム２２６を有する点が異なる。
【００４１】
本実施形態における通話中の画像処理のフローチャートを図１０に示す。リアルタイムで他の通信装置９１から画像情報を受信（ｓ１０１）すると、顔画像抽出プログラム２２５は顔画像を抽出する（ｓ１０２）。図１１は顔画像抽出処理の概念を示す図である。図１１に示すように、受信した画像情報が領域１０１を有する場合、必要とする顔画像は顔に近接した矩形部分である領域１０２で特定される。このように、顔画像抽出プログラム２２５は領域１０１からなる画像情報から領域１０２からなる顔画像情報を抽出する。なお、顔画像作成部２２３の輪郭抽出手法を用いて顔の輪郭を抽出してもよい。
【００４２】
次に、表示パターン設定部２２６を用いて抽出された各通話者を表示パネル３に合成表示する（ｓ１０３）。合成表示された表示パネル３の表示例を図１２に示す。図１２は４名でグループ会話している場合に自分以外の３名を表示した例である。もちろん、自分の顔画像も併せて表示してもよい。図１２に示すように、顔画像１２２及び１２３に重ねて顔画像１２１を表示することにより、小さな表示領域に大きな顔画像を表示することが可能となる。もちろん、タイル状に重なり部分を無くして並列的に顔画像１２１〜１２３を表示してもよい。
【００４３】
なお、図１２に示す例では顔画像１２１〜１２３をランダムに選択して表示した場合を示したが、表示パターン設定部２２６により、重なりを有する各顔画像の配置を最適化することもできる。図１３は顔画像配置の最適化手法を含めた画像処理のフローチャートを示す図である。図１３に示すように、図１０と同様に顔画像の抽出（ｓ１０２）を行った後、各通話者の発声量を測定するとともに、各通話者の測定された発声量のうち、最大の発声量である通話者を特定する（ｓ１３１）。そして、最大の発声量であると判定された通話者を実際その瞬間に会話をしている者（以下、単に会話者と称する）と判定し、会話者の顔画像情報から輪郭を抽出し（ｓ１３２）、顔以外の背景に関する画像情報を削除する（ｓ１３３）。そして、会話者を顔画像が最前列になるように、会話者以外の顔画像が後列になるように表示パネル３に合成表示する（ｓ１３４）。各顔画像は重なって表示されるため、後列の顔画像は最前列の顔画像により一部隠れてしまう。しかし、最前列の顔画像について輪郭抽出及び背景削除処理を行っておくことで、後列の顔画像の隠れる部分を少なくすることができる。
【００４４】
なお、輪郭の抽出及び背景の削除処理（ｓ１３２、ｓ１３３）は、第１実施形態の顔画像作成プログラム２２３と同じアルゴリズムを用いることにより実行可能である。また、これら処理（ｓ１３２、ｓ１３３）は後列の顔画像についても同様に行ってもよい。なお、会話者の特定ステップ（ｓ１３１）は通話中に常に行われ、会話者が交替する度に最前列に表示される顔画像が変化するのが望ましい。これにより、会話者に注目して会話が進行するという実際の会話に即したグループ通話が可能となる。
【００４５】
このように本実施形態では、グループ通話の際にリアルタイムで顔画像が互いの通信装置間で送信されるため、通話者は互いの表情を確認しながら通話することができる。
【００４６】
なお、本実施形態ではグループ会話の場合にリアルタイム顔画像送信処理を適用する場合を示したが、２者間の通話の場合にも同様のリアルタイム顔画像送信処理が適用できることはもちろんである。
【００４７】
また、最前列に表示される顔画像が通信装置１の通話者のマニュアル操作で選択することもできる。この場合、例えば表示パネル３にタッチセンサを設けておけば、表示パネル３に触れることにより人物を選択可能である。また、一定の時間間隔で最前列に表示される顔画像をローテーションさせてもよい。また、（ｓ１３２）及び（ｓ１３３）に示される輪郭抽出及び背景除去処理は行わなくてもよい。さらに、輪郭を抽出した後背景を半透明にしてもよい。
【００４８】
また、背景を多く含む画像情報から顔画像情報を受信後に抽出する場合を示したが、送信時に抽出し、予め抽出された画像を送信してもよい。
【００４９】
本発明は上記実施形態に限定されるものではない。
【００５０】
例えば、顔画像は１枚の静止画像として示したが、複数のフレームからなる動画像であってもよい。この場合、複数のフレームからなる動画像一つに対して識別コードを付すのが好ましい。
【００５１】
また、通信装置１は必ずしも撮像手段を有しなくてもよい。撮像手段を有しない場合、顔画像情報の登録のための撮像は、通信装置１外の撮像装置を用いて撮像した顔画像情報を、通信装置１に接続された図示しない外部入力端子から取り込むことにより、上記実施形態と同様の顔画像の取得が可能となる。
【００５２】
さらに、上記実施形態では音声を用いた携帯電話等の通話用通信装置を例に説明したが、音声を用いない通信装置にも適用可能であることはもちろんである。例えば、音声を用いずに文字情報によりリアルタイムで通信する装置等に適用可能である。
【００５３】
【発明の効果】
以上詳述したように本発明によれば、通信装置における他者間通信において、顔画像に基づいて通信装置内のデータベースの登録内容や通信相手を特定することができる。
【図面の簡単な説明】
【図１】本発明の第１実施形態に係る顔画像処理装置を備えた通信装置の全体構成を示す図。
【図２】同実施形態に係る通信装置のデータベースの構成の一例を示す図。
【図３】同実施形態に係る顔画像登録手法のフローチャートを示す図。
【図４】同実施形態に係る顔画像登録手法のフローチャートを示す図。
【図５】同実施形態に係る顔画像情報角に画面の表示例を示す図。
【図６】同実施形態に係る受信顔画像の登録可否の判定ステップのフローチャートを示す図。
【図７】同実施形態に係る送信用顔画像選択画面の表示例を示す図。
【図８】本発明の第２実施形態に係る他者間通話の概念図。
【図９】同実施形態に係る通信装置の全体構成を示す図。
【図１０】同実施形態に係る通話中における画像処理のフローチャートを示す図。
【図１１】同実施形態に係る顔画像抽出処理の概念図。
【図１２】同実施形態に係る顔画像の合成表示例を示す図。
【図１３】同実施形態に係る顔画像の合成表示の最適化手法を含めた画像処理のフローチャートを示す図。
【符号の説明】
１，９１…通信装置
２…本体
３…表示パネル
４…アンテナ
５…撮像手段
６…入力手段
２０…制御系
２１…インタフェース
２２…プロセッサ
２３…データベース
１０１，１０２…領域
２２１…個人情報登録プログラム
２２２…通信プログラム
２２３…顔画像作成プログラム
２２４…顔画像判定プログラム
２２５…顔画像抽出プログラム
２２６…表示パターン設定プログラム
２３１…名前
２３２…電話番号
２３３…顔画像情報
【図１】
0003737690.tif 000002
【図２】
0003737690.tif 000003
【図３】
0003737690.tif 000004
【図４】
0003737690.tif 000005
【図５】
0003737690.tif 000006
【図６】
0003737690.tif 000007
【図７】
0003737690.tif 000008
【図８】
0003737690.tif 000009
【図９】
0003737690.tif 000010
【図１０】
0003737690.tif 000011
【図１１】
0003737690.tif 000012
【図１２】
0003737690.tif 000013
【図１３】
0003737690.tif 000014